(57)【特許請求の範囲】
【請求項１】
フード本体の顔面開口部に沿って紐通しを形成し、当該紐通しに第一紐を挿通させてこれをフード本体のあご当て部で長さ調整可能とすると共に、
フード本体の左右のこめかみ部に紐屈曲部を設け、
フード本体の後頭部の左右上方に第二紐の端部を固定し、フード本体の両側面で当該第二紐を紐屈曲部を介して後頭部の下方へ略くの字に架け渡して、第二紐をフード本体の後頭部の下方で長さ調整可能としたことを特徴とする雨衣・防寒衣用フード。
【請求項２】
第二紐に保持部材を装着し、当該保持部材を介して第二紐をフード本体の後頭部の下方で長さ調整可能としたことを特徴とする請求項１記載の雨衣・防寒衣用フード。
【発明の詳細な説明】
【０００１】
【発明の属する技術分野】
本発明は、雨衣・防寒衣用フードに関する。
【０００２】
【従来の技術】
特開平７−２５２７１２号公報に開示されるように、従来、パーカーやレインジャケット等の雨衣や防寒衣には、襟にフードが収納可能または着脱可能に取り付けられており、フードに通した紐の長さを調整することによって顔面とフードとの間の隙間をなくし、フード内への雨や風の浸入を防止している。
【０００３】
図７乃至図９は上記特開平７−２５２７１２号公報に開示されたフードを示し、このフード１は、柔らかな防水布からなるフード本体３の顔面開口部５に沿って紐通し７を形成し、この内部に通した紐９をあご当て部１１で留め具１３により長さ調整可能とすると共に、フード本体３の両こめかみ位置から後頭部にかけて紐通し１５を形成し、そして、この内部に通した紐１７の一端を顔面開口部５のこめかみ部に固定して、後頭部で留め具１９により長さ調整可能としたものである。
【０００４】
その他、図中、２１は顔面開口部５の上側部分に形成されたつば、２３はあご当て部１１に縫着された面ファスナーで、図８に示すようにあご当て部１１は左右に分割された分割片１１ａ，１１ｂからなり、両分割片１１ａ，１１ｂは面ファスナー２３を介して接続，分離されるようになっている。
而して、上記フード１によれば、着用時に留め具１３を操作して紐通し７内の紐９の長さを調整することによって顔面開口部５の開口面積が調整できるため、その絞り込みによって顔面開口部５が着用者の顔面に密着し、また、留め具１９を操作して紐通し１５内の紐１７の長さを調整することで、顔面開口部５の両こめかみ部のだぶつきをなくすことができる。
【０００５】
【発明が解決しようとする課題】
而して、一般に釣人は帽子の上からフードを被ることが多いが、上記フード１は紐１７の一端側がこめかみ部に固定された構造上、こめかみ部のだぶつきをなくすために紐１７を後頭部の下方（図７中、矢印Ａ方向）へ引っ張ると、フード本体３の上部側（つば２１側）が後方（図７中、矢印Ｂ方向）へ反って、帽子のつばとの間に隙間が生じてしまう欠点があった。
【０００６】
そして、斯様にフード本体３の上部側が後方へ反ってしまうと、フード本体３の後頭部の上方（図７中、Ｃ領域）に皺が発生し、そして、帽子のつばとの隙間から侵入した風が当該Ｃ領域に流入してフード本体３をバタ付かせるため、着用感が悪く、また、フード本体３のバタ付く音が釣人に耳障りなものとなっていた。
本発明は斯かる実情に鑑み案出されたもので、顔面や頭部との良好な密着性を図って雨や風の浸入を確実に防止し、着用感を向上させた雨衣・防寒衣用のフードを提供することを目的とする。
【０００７】
【課題を解決するための手段】
斯かる目的を達成するため、請求項１に係る雨衣・防寒衣用フードは、フード本体の顔面開口部に沿って紐通しを形成し、当該紐通しに第一紐を挿通させてこれをフード本体のあご当て部で長さ調整可能とすると共に、フード本体の左右のこめかみ部に紐屈曲部を設け、フード本体の後頭部の左右上方に第二紐の端部を固定し、フード本体の両側面で当該第二紐を紐屈曲部を介して後頭部の下方へ略くの字に架け渡して、第二紐をフード本体の後頭部の下方で長さ調整可能としたことを特徴とする。
【０００８】
そして、請求項２に係る発明は、請求項１記載の雨衣・防寒衣用フードに於て、第二紐に保持部材を装着し、当該保持部材を介して第二紐をフード本体の後頭部の下方で長さ調整可能としたものである。
【０００９】
（作用）
請求項１に係る発明によれば、着用時に紐通し内の第一紐の長さを調整することで顔面開口部の開口面積が調整できるため、その絞り込みによって顔面開口部が着用者の顔面に密着する。
【００１０】
また、第二紐の長さを調整すると、紐屈曲部がフード本体のこめかみ部を後方に引いて着用時の視界を確保すると共に、フード本体の上部側が前方へ垂れて帽子のつば等に密着し、そして、斯様にフード本体の上部側が前方へ垂れることでフード本体の後頭部の布が緊張して皺が発生することもない。
そして、請求項２に係る発明によれば、保持部材によって第二紐の長さが調整されることとなる。
【００１１】
【発明の実施の形態】
以下、本発明の実施形態を図面に基づき詳細に説明する。
図１乃至図３は請求項１及び請求項２に係る雨衣・防寒衣用フードの一実施形態を示し、図中、３１はナイロン等の柔らかな防水布で形成されたフード本体で、その前面に顔面開口部３３が設けられている。
【００１２】
そして、顔面開口部３３の開口縁に沿って袋状の紐通し３５が設けられており、当該紐通し３５の内部に１本の第一紐３７が挿通している。そして、第一紐３７はフード本体３１のあご当て部３９で外方に出て、装着された従来周知の左右のスピンドルストッパ（保持部材）４１によって、紐通し３５内部の長さが調整できるようになっている。
【００１３】
尚、フード本体３１のあご当て部３９は、図８の従来例と同様、左右に分割された分割片３９ａ，３９ｂからなり、両分割片３９ａ，３９ｂは面ファスナー（図示せず）を介して接続，分離されるようになっている。
そして、フード本体３１のこめかみ部に位置する紐通し３５部分に、図２の如く帯状の布からなるベルトループ（紐屈曲部）４３が縫着されている。
【００１４】
また、図中、４５，４７はフード本体３１の両側部表面に防水布を縫着して形成された紐通しで、一方の紐通し４５は、フード本体３１の後頭部の上方からベルトループ４３へ向かって斜め方向に形成され、そして、他方の紐通し４７は、ベルトループ４３からフード本体３１の後頭部の下方へ斜め方向に形成されており、両紐通し４５，４７内に第二紐４９が挿通されている。
【００１５】
第二紐４９は、その一端部４９ａが紐通し４５内でフード本体３１の後頭部の上方に縫着され、そして、紐通し４５を通って外部に出た第二紐４９は、図１に示すようにベルトループ４３，紐通し４７を挿通してフード本体３１の後頭部の下方へ略くの字に架け渡されている。
そして、第二紐４９は、後頭部の下方でフード本体３１を貫通して裏面側へ向かい、同様にフード本体３１の他側面側で第二紐４９はフード本体３１を貫通し、そして、図示しない紐通しとベルトループを介して略くの字に架け渡されて、その他端部がフード本体３１の後頭部の上方に縫着されている。
【００１６】
而して、図３に示すようにフード本体３１の後頭部の下方には、連結紐５１を介してスピンドルストッパ５３が取り付けられており、当該スピンドルストッパ５３に第二紐４９が挿通している。そして、スピンドルストッパ５３を挿通した第二紐４９にリング５５が取り付けられており、当該リング５５によってスピンドルストッパ５３からの第二紐４９の抜止めが図られ、また、上述したようにスピンドルストッパ５３は連結紐５１によってフード本体３１に取り付けられているため、第二紐４９の長さ調整の際に、スピンドルストッパ５３を手で保持することなくリング５５を摘んで引っ張るだけで、第二紐４９の長さ調整ができるようになっている。
【００１７】
本実施形態に係るフード５７はこのように構成されているから、着用時にスピンドルストッパ４１を操作して紐通し３５内の第一紐３７の長さを調整することで顔面開口部３３の開口面積が調整できるため、その絞り込みによって顔面開口部３３が着用者の顔面に密着する。
また、リング５５を摘んで第二紐４９を図１の矢印Ｄ方向へ引っ張って紐通し４５，４７内の第二紐４９の長さを調整すると、ベルトループ４３がフード本体３１のこめかみ部を後方に引いて着用時の視界を確保するが、上述したように本実施形態は、第二紐４９の両端部４９ａを、夫々、フード本体３１の後頭部の左右の上方に固定し、そして、ベルトループ４３を介して第二紐４９をフード本体３１の両側面で略くの字に配置したので、斯様に第二紐４９を矢印Ｄ方向へ引っ張ると、フード本体３１の上部側が前方（図１中、矢印Ｅ方向）へ垂れて帽子のつばに密着し、そして、斯様にフード本体３１の上部側が前方へ垂れることでフード本体３１の後頭部の布が緊張して、図７の従来例のような皺が発生することもない。
【００１８】
このように本実施形態によれば、第一紐３７の絞り込みによって顔面開口部３３が着用者の顔面に密着し、そして、第二紐４９の絞り込みによってフード本体３１の上部側が前方へ垂れて帽子のつばに密着すると共に、フード本体３１の後頭部の布が緊張して皺が発生することがないので、図７の従来例に比し顔面や頭部との密着性が向上してフード５７内への雨や風の浸入を確実に防止することができ、着用感も向上することとなった。
【００１９】
そして、斯様に顔面や頭部との密着性が向上する結果、フード本体３１が外方に突出することがなくなって、実釣時に釣糸がフード５７に絡むこともなくなる。
また、第二紐４９の絞り込みにより、ベルトループ４３がフード本体３１のこめかみ部を後方に引くため、着用時の良好な視界を確保することができると共に、スピンドルストッパ５３を連結紐５１によってフード本体３１に取り付けたので、第二紐４９の長さ調整の際に、スピンドルストッパ５３を手で保持することなくリング５５を摘んで引っ張るだけで第二紐４９の長さ調整ができると共に、斯様にリング５５を第二紐４９に取り付けたため、これを摘んで引っ張るだけで第二紐４９の長さ調整が容易にできる利点を有する。
【００２０】
尚、上記実施形態では、図２に示すようにベルトループ４３を第二紐４９の紐屈曲部としてフード本体３１のこめかみ部に設けたが、図４に示すように当該ベルトループ４３に樹脂製のＤ環５９を取り付けてこれに第二紐４９を通してもよいし、図５及び図６に示すように樹脂で形成した支持部材６１の対向片６１ａ，６１ｂにローラ６３を回転可能に取り付け、そして、支持部材６１とローラ６３の間に第二紐４９を通してこれを略くの字に架け渡してもよい。
【００２１】
而して、これらの変形例によれば、第二紐４９の長さ調整が滑らかに行える利点を有する。
また、上記実施形態では、第一紐３７にスピンドルストッパ４１を装着したが、これに代え、あご当て部３９から外部に出ている第一紐３７の左右の端部を結ぶことで長さ調整ができるようにしてもよいし、スピンドルストッパ５３をフード本体３１に連結する連結紐５１は省略してもよい。
【００２２】
【発明の効果】
以上述べたように、各請求項に係る発明によれば、第一紐の絞り込みによって顔面開口部が着用者の顔面に密着し、そして、第二紐の絞り込みによってフード本体の上部側が前方へ垂れて帽子のつばに密着すると共に、フード本体の後頭部の布が緊張して皺が発生することがないので、従来に比し顔面や頭部との密着性が向上してフード内への雨や風の浸入を確実に防止することができ、着用感も向上することとなった。
【００２３】
そして、斯様に顔面や頭部との密着性が向上する結果、フード本体が外方に突出することがなくなって、実釣時に釣糸がフードに絡むこともないし、第二紐の絞り込みによって紐屈曲部がフード本体のこめかみ部を後方に引くため、着用時の良好な視界を確保することができる利点を有する。
【図面の簡単な説明】
【図１】請求項１及び請求項２の一実施形態に係るフードの側面図である。
【図２】フード本体のこめかみ部に取り付くベルトループの拡大側面図である。
【図３】図１に示すフードの後頭部の下方の拡大斜視図である。
【図４】フード本体のこめかみ部に取り付くベルトループとＤ環の拡大側面図である。
【図５】フード本体のこめかみ部に取り付く支持部材の拡大側面図である。
【図６】図５のVI−VI線断面図である。
【図７】従来のフードの側面図である。
【図８】図７に示すフードの正面図である。
【図９】図７に示すフードの背面図である。
【符号の説明】
３１  フード本体
３３  顔面開口部
３５，４５，４７  紐通し
３７  第一紐
３９  あご当て部
４１，５３  スピンドルストッパ
４３  ベルトループ
４９  第二紐
５１  連結紐
５５  リング
５７  フード
５９  Ｄ環
６３  ローラ
【図１】
0004463386.tif 000002
【図２】
0004463386.tif 000003
【図３】
0004463386.tif 000004
【図４】
0004463386.tif 000005
【図５】
0004463386.tif 000006
【図６】
0004463386.tif 000007
【図７】
0004463386.tif 000008
【図８】
0004463386.tif 000009
【図９】
0004463386.tif 000010